(57)【要約】【解決手段】タイバッグは、バッグの開口部にヘムシールを含み、タイバッグが容器のライナーとして使用される際、それが容器の頂部でグリップし、容器内にバッグの口が落ちるのを防止する。ヘムシールはヘムフラップを形成し、幾何学的パターンに切断されてタイファスナーを与える。ヘムシールはタイバッグの開口部でヘムを形成する。タイバッグは、さらに、側壁の対向側線においてヘムを閉止する一対の第２ヘムシールを含む。【選択図】図４
2007535452.tif 000002
【特許請求の範囲】
【請求項１】
開口とヘムフラップを形成するヘムシールとを含む収容部から成るタイバッグであり、前記ヘムフラップがタイファスナーを与えるよう幾何学的パターンで切断されていることを特徴とするタイバッグ。
【請求項２】
請求項１に記載のタイバッグであって、前記収容部は２つの側壁を含む、ところのタイバッグ。
【請求項３】
請求項１に記載のタイバッグであって、前記幾何学的パターンはサイン曲線パターンである、ところのタイバッグ。
【請求項４】
請求項１に記載のタイバッグであって、前記収容部は２つの対向する側壁を含み、各々はその周囲が結合されて、タイバッグの収容部及び開口部を形成する、ところのタイバッグ。
【請求項５】
請求項４に記載のタイバッグであって、前記側壁は一対の対向側線及び前記対向側線を橋渡しするボトムに沿って互いに結合され、各側壁の頂部はボトム方向に折り曲げられ、ヘムシールによって各側壁に結合されてヘムフラップを形成する、ところのタイバッグ。
【請求項６】
請求項５に記載のタイバッグであって、少なくともひとつの側壁の頂部は側壁の間で内側に折り曲げられ、ヘムシールにより少なくともひとつの側壁の内側面と結合する、ところのタイバッグ。
【請求項７】
請求項５に記載のタイバッグであって、前記ヘムシールは前記タイバッグの開口部でヘムを形成する、ところのタイバッグ。
【請求項８】
請求項７に記載のタイバッグであって、さらに、側壁の対向側線においてヘムを閉止する一対の第2ヘムシールを含むタイバッグ。
【請求項９】
請求項８に記載のタイバッグであって、前記第2ヘムシールは幅が約１／4インチである、ところのタイバッグ。
【請求項１０】
請求項５に記載のタイバッグであって、
ヘムフラップの幾何学的パターンはバイトにより結合された一対のタイファスナーを含み、
側壁の頂部がボトム方向に折り曲げられたとき、ヘムシールがバイトの下側に配置される、ところのタイバッグ。
【請求項１１】
請求項１０に記載のタイバッグであって、ヘムシールはタイバッグの開口部でヘムを形成する、ところのタイバッグ。
【請求項１２】
請求項１１に記載のタイバッグであって、さらに、側壁の対向側線でヘムを閉止する一対の第２ヘムシールを含むタイバッグ。
【請求項１３】
請求項５に記載のタイバッグであって、
ヘムフラップの幾何学的パターンはバイトにより結合された一対のタイファスナーを含み、
側壁の頂部がボトム方向に折り曲げられたとき、ヘムシールがバイトと交差する、ところのタイバッグ。
【請求項１４】
請求項１３に記載のタイバッグであって、ヘムシールはタイバッグの開口部においてヘムを形成する、ところのタイバッグ。
【請求項１５】
請求項１４に記載のタイバッグであって、さらに、側壁の対向側線でヘムを閉止する一対の第２ヘムシールを含む、ところのタイバッグ。
【請求項１６】
請求項５に記載のタイバッグであって、
ヘムフラップの幾何学的パターンはバイトにより結合された一対のタイファスナーを含み、
側壁の頂部がボトム方向に折り曲げられたとき、ヘムシールがバイトの上側に配置される、ところのタイバッグ。
【請求項１７】
請求項１６に記載のタイバッグであって、ヘムシールはタイバッグの開口部でヘムを形成する、ところのタイバッグ。
【請求項１８】
請求項１７に記載のタイバッグであって、さらに、側壁の対向側線においてヘムを閉止する一対の第２ヘムシールを含む、ところのタイバッグ。
【請求項１９】
タイバッグの開口部及び一対のヘムフラップを形成する一対のヘムシールを含む収容部から成り、前記ヘムフラップはバイトにより結合された少なくとも２つのタイファスナーを与えるべく幾何学的パターンで切断されており、前記収容部は第１及び第２の対向する側壁を含み、それぞれが一対の対向側線及びボトムを有し、それが結合されてタイバッグの収容部及び開口部が形成され、前記第１及び第２側壁の周囲は、それぞれ頂部を含み、それがボトム方向に折り曲げられてヘムシールの一方または他方によりそれぞれの側壁に結合されて、ヘムフラップを形成する、ところのタイバッグ。
【請求項２０】
請求項１９に記載のタイバッグであって、前記第１及び第２側壁の頂部は、前記第１及び第２側壁の間で、内側に折り曲げられ、第１側壁の頂部がヘムシールの一方により第１側壁の内側面に結合され、第２側壁の頂部はヘムシールの他方により第２側壁の内側面に結合される、ところのタイバッグ。
【請求項２１】
請求項１９に記載のタイバッグであって、一対のヘムシールがタイバッグの開口部で一対のヘムを形成する、ところのタイバッグ。
【請求項２２】
請求項２１に記載のタイバッグであって、さらに、側壁の対向側線において一対のヘムを閉止する一対の第２ヘムシールを含むタイバッグ。
【発明の詳細な説明】
【技術分野】
【０００１】
本発明は、バッグを閉じるために当該バッグの開口部に近接したタイを有するプラスチック製バッグに関し、特に、廃棄物容器などの容器用のライナーとして使用されるバッグに関する。
【背景技術】
【０００２】
バッグの口を閉めるためにバッグの収納部と一体となったタイを有するプラスチック製の収納及び廃棄バッグの製造及び使用は周知である。このタイは典型的に、バッグの側面の切断部から成り、それはバイトにより一緒にされた２つまたはそれ以上のタイを形成し、バッグをシールするよう握られまたは結ばれる。この一体的なタイを有するバッグはしばしばタイバッグと呼ばれる。
【０００３】
典型的に、タイは、バッグ内容物を保持するために使用されるバッグ収納部の上に伸長している。内容物がバッグ内に配置された後、タイは閉じたバッグの口を縛るための閉止手段を与える。
【０００４】
廃棄物容器などの容器用ライナーとしてタイバッグを使用するのが好ましい。タイバッグまたはそれ用の任意のバッグが容器用のライナーとして使用される際、バッグの口が容器のリムの回りを覆った状態で、バッグの収納部分は典型的に容器の内部に配置され、バッグは容器内で吊下げられて維持される。
【発明の開示】
【発明が解決しようとする課題】
【０００５】
ライナーとして使用されるタイバッグに所望されるのは、バッグが内容物で満たされた状態で、バッグの口が容器内に落ちないようにすることである。バッグの口が容器内に落ちるのは、消費者にとってかなりわずらわしい。なぜなら、容器内に手を入れて、バッグの口を引っ張り出し、容器のリム全体に被せなければならないからである。廃棄物容器の場合、これは特に嫌な作業である。さらに、消費者が、バッグの口が容器内に落ちたことに気づかない場合、付加的な内容物がバッグ内部以外の落ちたライナーの上に付着するかもしれず、容器の内側を傷つけるかもしれない。
【課題を解決するための手段】
【０００６】
本発明は、バッグの口にヘムシールを含む改良されたタイバッグを与え、それはタイバッグが容器用ライナーとして使用される際に容器の頂上をグリップし、バッグの口が容器内に落ちるのを防止する。
【０００７】
本発明のひとつの態様において、タイバッグは、タイファスナーを与えるよう幾何学的パターンで切断されたヘムフラップを形成するヘムシールを有するタイバッグの開口部を画成する収容部を含む。収容部は２つの対向する側壁を有し、それぞれ周囲を画定し、周囲は収容部を形成するよう結合され、タイバッグの開口部を画成する。側壁は一対の対向側線に沿って対向側線をブリッジするボトムとともに互いに結合され、それぞれの側壁の頂部はボトムに向かって折り曲げられ、ヘムプラップを形成するべくヘムシールによりそれぞれの側壁に結合される。
【０００８】
ヘムシールはタイバッグの開口部でヘムを形成する。タイバッグは、さらに、側壁の対向側線でヘムを閉じる一対の第2のヘムシールを含む。
【０００９】
ヘムプラップの幾何学的パターンはバイトにより結合された少なくとも２つのタイファスナーを画成する。本発明のさまざまな形式において、側壁の頂部がボトムに向かって折り曲げられる際、ヘムシールはバイトを横切るように配置されてもよく、またはバイトの上側または下側に配置されてもよい。
【００１０】
本発明の他の目的及び利点は、以下の詳細な説明及び図面から明らかとなる。
【発明を実施するための最良の形態】
【００１１】
図１は、本発明の第1の実施例を示す。タイバッグ110は、開口部114を含む収容部112を有する。収容部112は、一対の対向側線120、122を有する第1及び第2対向側壁116、118及び、収容部112を形成するべく結合されたボトム124を含む。第1及び第2側壁116、118は、それぞれ頂部126を有する（図２参照）。
【００１２】
図２及び３に示されるように、各側壁116、118は折れ線128に関して、ボトム124に向かって折られ、ヘムシーム130により各側壁116、118と結合されヘムプラップ132を形成する。ヘムシール130は熱シール処理、接着剤または他の周知のシール処理により形成される。
【００１３】
図３に示されるように、ヘムフラップ132は幾何学的パターンで切断され、バイト138により結合された少なくとも２つのタイ134、136を与える。ここに示された実施例において、幾何学的パターンはサイン曲線であるが、本発明の他の実施例において、他のジグザグまたはノッチパターンが使用可能である。ここに示された実施例において、両側壁116、118上のタイ134、136は同一であり、バッグが平らに折られたとき、それらは互いに重なる。本発明の他の実施例において、側壁116から伸長するタイ134、136は側壁118のタイ134、136と重ならなくてもよい。ここに示される実施例は４つのタイを使用するが、本発明の他の実施例は２つまたは３つのような異なる数のタイを使用してもよい。
【００１４】
図４及び５に示されるように、バッグ110が容器140内のライナーとして使用される際、バッグ110の収容部112が容器140内に吊り下がりかつ口114が容器140のリム142にかぶせられており、ヘムシール130が容器140の外側面をグリップし、バッグ110が容器140内に落ちるのが防止される。図４に示されるように、ヘムシール130は容器のリム142を横切って伸びるような二重フィルム層であり、それはバッグのグリップ力を倍にする。比較的伸びが少ないプラスチック膜を伸ばす場合、降伏点まで伸びる抵抗力が存在する。ヘムシールにより二層膜を有することにより、抵抗力は倍になり、よってグリップ力も倍になる。結果として、バッグを容器にきつく保持することが可能である。
【００１５】
タイ134、136は従来の方法で使用され、図６及び７に示されるように、容器140からバッグ110を引き出し、一緒に結ぶことによりバッグ110の口114を閉じる。
【００１６】
図８及び９は本発明の他の実施例を示し、側壁116、118の頂部126がボトム124方向に折り曲げられる距離、及びバイト138に関するヘムシール130の位置が図３に示される実施例と異なる。
【００１７】
図３に示される実施例において、バイト138と交差するようにヘムシール130が配置され、口114のエッジ144に近接してバイトが配置されるようにして、側壁116の頂部126が折り曲げられている。この方法でヘムシール130が配置された状態で、側壁116の頂部126は、側壁116上に実質的に折り曲げられ、口114のエッジ144が材料の集まり内で一緒に融解するような方法で、ヘムシール130により側壁116と結合され、バッグ110の口114の回りで伸長して厚さを増加させている。
【００１８】
図８の実施例において、側壁216の頂部226は、図３の実施例の場合より口214のエッジ224から長い距離に配置されたバイト238を形成するように折り曲げられ、ヘムシール230はバイト238とエッジ244との間に配置され、それにより側壁の各々にヘム246が形成される。
【００１９】
図９の実施例において、側壁316の頂部326は、図８に示される距離と同様の、口314のエッジ344からの距離に配置されるバイト338を形成する方法で折り曲げられ、ヘムシール330はバイト338の下方に配置され、それによりヘム346が側壁上に形成される。
【００２０】
図１２はバッグ410の他の実施例を示し、口414の各々のエッジ444にヘム446を形成するようヘムシール430が配置されている。図１２の実施例は、側壁416、418の対向側線420、422に一対の第2ヘムシール448も含む。約1／4インチの幅を有し、ヘムシール430内に没入する第2ヘムシール448は、標準的なサイズの廃棄物容器に使用されるタイバッグ410に好適である。
【００２１】
本発明の上記実施例の説明は図示及び説明を目的に与えられた。本発明はこれらの実施例に限定されるものではない。
【００２２】
上記教示を鑑みて、さまざまな修正または変更が可能である。例えば、ヘムシールは、図１０に示されるような連続ヘムシール530か、または図１３に示されるような間欠的ヘムシール630のいずれであってもよい。他の実施例として、図５に示されるように内側ではなく、図１４に示されるように、側壁716の頂部726がボトムに向けて外側に折り曲げられる。よって、バッグ710が容器740内でライナーとして使用される場合、タイ734は、図５に示されるようにヘムシール130上で保持されるのではなく、図１４に示されるようにヘムシール730から真下にぶら下がる。
【００２３】
ここで、値の範囲の記載は、特に断りがなければ、その範囲内に含まれる各値に個々に言及したもので、各値はここに個別に記載されていれば本明細書に組み込まれる。ここに記載されたすべての方法は、ここに示されておらずまたは文脈に矛盾するものでなければ、任意の適当な順序で実行可能である。ここに与えられた任意の及びすべての実施例または例示的表現の使用は、発明をより詳細に示すためのものであり、特許請求の範囲に記載された発明の態様を制限するものではない。明細書に記載がないものについては、当業者に自明なものと解釈されるべきである。
【００２４】
本発明を実行するために発明者が知り得る最適実施例を含む、好適実施例がここで説明された。これらの好適実施例の変更は、上記説明を読めば、当業者には明らかである。発明者は当業者が適当な変更をすることを期待し、ここに特定的に開示されたもの以外で実行されることを意図している。従って、本発明は特許請求の範囲に記載された思想の範囲内ですべての修正及び変更を含むものである。さらに、ここに特に示されまたは文脈に矛盾したものでなければ、すべての可能な修正における上記構成要件の任意の組み合わせが発明に包含される。
【図面の簡単な説明】
【００２５】
【図１】図１は、本発明に従う、タイファスナーを与えるよう幾何学的パターンで切断されたヘムフラップを形成するヘムシールを有するタイバッグの開口部を画成する収容部を含むタイバッグの第1実施例の斜視図である。
【図２】図２は、側壁の頂部を保持しヘムシールを形成する前の側壁を示した、図１のタイバッグの側壁の内側面を示す。
【図３】図３は、側壁の頂部を収容部全体にわたって保持し、ヘムシールを形成した後の側壁を示す、図１の線３−３で切断した断面図であり、図２の側壁の内側面を示す。
【図４】図４は、容器の角部分を示すためにバッグの一部を切断した状態で、容器内のライナーを示す図１のタイバッグの斜視図である。
【図５】図５は、容器の外側をグリップするヘムシールを示す、図４の線５−５に沿って切断された、容器のリム部の断面図である。
【図６】図６は、内容物で満たされた後に、容器から除去されたタイバッグの斜視図である。
【図７】図７は、内容物で満たされた後に、容器から除去されたタイバッグの平面図である。
【図８】図８は、側壁の頂部を保持するための他の実施例及びヘムシールの位置を示す。
【図９】図９は、側壁の頂部を保持するための他の実施例及びヘムシールの位置を示す。
【図１０】図１０は、本発明に従う連続ヘムシールにより、タイバッグの側壁に形成されたヘムの斜視図である。
【図１１】図１１は、容器内にライナーとして設置された、図８に示すようなヘムシールにより作成されたバッグの口にヘムを有するタイバッグを示す、容器のリム部分の断面図である。
【図１２】図１２は、バッグの対向側線でバッグの口に沿ってヘムを閉止するための一対の第2ヘムシールを有する、本発明に従うタイバッグの他の実施例の斜視図である。
【図１３】図１３は、本発明に従う、間欠的ヘムシールによりタイバッグの側壁内に形成されたヘムの斜視図である。
【図１４】図１４は、図１から１３の実施例に示されるようにヘムシールにより内側に保持されて側壁に結合されのではなく、ヘムシールにより外側に保持され側壁に結合された側壁の頂部を有する、本発明に従うタイバッグの他の実施例の断面図である。
【図１】
2007535452.tif 000003
【図２】
2007535452.tif 000004
【図３】
2007535452.tif 000005
【図４】
2007535452.tif 000006
【図５】
2007535452.tif 000007
【図６】
2007535452.tif 000008
【図７】
2007535452.tif 000009
【図８】
2007535452.tif 000010
【図９】
2007535452.tif 000011
【図１０】
2007535452.tif 000012
【図１１】
2007535452.tif 000013
【図１２】
2007535452.tif 000014
【図１３】
2007535452.tif 000015
【図１４】
2007535452.tif 000016
【国際調査報告】
2007535452.tif 000017